(57)【要約】【課題】袖付の衣服及びノースリーブの衣服の両方に兼用可能な汗取りパッドを提供すること。【解決手段】本発明の汗取りパッド１は、汗を吸収する吸収体２と、この吸収体２の一面側に設けられた衣服装着用の粘着層６と、を備えた脇用の汗取りパッド１である。汗取りパッド１には切断線９Ａ，９Ｂが設けられ、切断線９Ａ，９Ｂに沿って切断することにより、切断前の袖付衣服用の形状からノースリーブの衣服用の形状に変形可能である。【選択図】図１
2014128430.tif 000002
【特許請求の範囲】
【請求項１】
汗を吸収する吸収体と、
前記吸収体の一面側に設けられた衣服装着用の粘着層と、
を備えた脇用の汗取りパッドであって、
前記汗取りパッドには切断線が設けられ、
該切断線に沿って切断することにより、切断前と異なる形態の衣服装着用に形状を変形可能な汗取りパッド。
【請求項２】
前記切断線は、複数設けられており、
装着される衣服の形状に合わせて複数の切断線のいずれかを選択可能となっていること、
を特徴とする請求項１に記載の汗取りパッド。
【請求項３】
前記切断線に沿った切断前は、袖付衣服に適した形状であり、
前記切断線に沿った切断後は、ノースリーブの衣服に適した形状となること、
を特徴とする請求項１又は２に記載の汗取りパッド。
【請求項４】
前記汗取りパッドは、
前記吸収体を挟んで、液透過性のトップシートと液不透過性のバックシートとを備え、
前記切断線が設けられている部分は、前記トップシートと前記バックシートとが直接接合し、前記吸収体は、前記切断線を挟んで分断して配置されていること、
を特徴とする請求項１から３のいずれか１項に記載の汗取りパッド。
【発明の詳細な説明】
【技術分野】
【０００１】
本発明は、衣服の腋下部に装着して腋下に生ずる汗を吸収するための汗取りパッドに関する。
【背景技術】
【０００２】
人の脇下は汗をかきやすく、衣服に汗ジミが付きやすい箇所である。このため、従来、衣服の腋下部に装着し、脇下の汗を吸い取る汗取りパッドがある。このような汗取りパッドを装着することで、腋下の不快感や衣服の腋下部の汗染みを防止することができる（例えば特許文献１、特許文献２参照）。
【先行技術文献】
【特許文献】
【０００３】
【特許文献１】特開２００７−６３７１７号公報
【特許文献２】特開２００９−１１４５８２号公報
【発明の概要】
【発明が解決しようとする課題】
【０００４】
従来、汗取りパッドは、袖付きの衣服に装着するタイプと、袖なしの、いわゆるノースリーブの衣服に装着するタイプとで別々の商品として販売されている。したがって、両方のタイプの衣服に汗取りパッドを使用する場合、両方のタイプの商品を購入する必要がある。
【０００５】
本発明は、袖付の衣服及びノースリーブの衣服の両方に兼用可能な汗取りパッドを提供することを目的とする。
【課題を解決するための手段】
【０００６】
本発明の汗取りパッドは、汗を吸収する吸収体と、前記吸収体の一面側に設けられた衣服装着用の粘着層と、を備えた脇用の汗取りパッドであって、前記汗取りパッドには切断線が設けられ、該切断線に沿って切断することにより、切断前と異なる形態の衣服装着用に形状を変形可能なことを特徴とする。
【０００７】
前記切断線は、複数設けられており、装着される衣服の形状に合わせて複数の切断線のいずれかを選択可能となっていること、が好ましい。
【０００８】
前記切断線に沿った切断前は、袖付衣服に適した形状であり、前記切断線に沿った切断後は、ノースリーブの衣服に適した形状となること、が好ましい。
【０００９】
前記汗取りパッドは、前記吸収体を挟んで、液透過性のトップシートと液不透過性のバックシートとを備え、前記切断線が設けられている部分は、前記トップシートと前記バックシートとが直接接合し、前記吸収体は、前記切断線を挟んで分断して配置されていること、が好ましい。
【発明の効果】
【００１０】
本発明によれば、袖付の衣服及びノースリーブの衣服の両方に使用することが可能な汗取りパッドを提供することができる。
【図面の簡単な説明】
【００１１】
【図１】第１実施形態の汗取りパッドであって、（ａ）は身体装着側から見た図、（ｂ）は（ａ）の裏面であって、汗取りパッドを衣服装着側から見た図である。
【図２】高吸収性ポリマー（ＳＡＰ）の配置を示した図であり、（ａ）は第１実施形態における配置を示したもので、（ｂ）は変形形態である。
【図３】汗取りパッドを袖付の衣服に取り付けた第１装着例を示した図である。
【図４】汗取りパッドをノースリーブの衣服に取り付けた第２装着例を示した図である。
【図５】第２実施形態の汗取りパッドを身体装着側から見た図である。
【発明を実施するための形態】
【００１２】
（第１実施形態）
以下、本発明の好ましい実施形態につき図面を参照しながら説明する。
図１は、第１実施形態の汗取りパッド１であって、（ａ）は身体装着側から見た図、（ｂ）は（ａ）の裏面であって、汗取りパッド１を衣服装着側から見た図である。
図３は汗取りパッド１を袖付の衣服１０に取り付けた第１装着例を示した図である。図４は汗取りパッド１をノースリーブの衣服２０に取り付けた第２装着例を示した図である。
【００１３】
本実施形態の汗取りパッド１は、図１に示すように、汗を吸収するための吸収体２と、その表側に設けられたトップシート７と、その裏側（衣服装着側）に設けられたバックシート３と積層体である。そしてバックシート３のさらに裏側（衣服装着側）には、衣服に貼着するための粘着層６が設けられ、その粘着層６は剥離シート５でカバーされている。
【００１４】
図１及び２に示すように、本実施形態の汗取りパッド１は、全体として、２つの楕円形状を一部重ねたような形状を有し、汗取りパッド１の両側部のやや上側には、くびれ部４が形成されている。図中くびれ部よりも上の上部１Ａは、下部１Ｂよりも小さく、衣服の袖側に貼着される部分である。また、下部１Ｂは衣服の身頃側に貼着される部分である。
また、両側部のくびれ部４を結ぶ直線に沿って折曲線ｆが設けられている。折曲線ｆは、汗取りパッド１がこの折曲線ｆに沿って折れ曲がりやすいように、押圧されて折り目が付けられている。
【００１５】
吸収体２は、吸収された汗を吸収し保持する機能を有する。材料としては、たとえば、フラッフ状パルプ、エアレイド不織布、高吸収性ポリマー（Ｓｕｐｅｒ  Ａｂｓｏｒｂｅｎｔ  Ｐｏｌｙｍｅｒ：ＳＡＰ）等を含む吸収体が挙げられる。また、フラッフ状パルプの代わりに、たとえば、化学パルプ、セルロース繊維、レーヨン、アセテートなどの人工セルロース繊維、ポリオレフィン、ポリエステル、ポリアミドなどの合成繊維（複合繊維も含む）を用いた繊維ネットワーク吸収体２、ポリウレタン等のフォーム材を用いた発泡吸収体などを用いても良い。
【００１６】
トップシート７は、吸収体２と略相似形の、汗を透過する液透過性シートであり、透液性を有する各種の繊維不織布、たとえば、エアスルー繊維不織布、スパンボンド不織布、ＳＭＳ（スパンボンド−メルトブロン−スパンボンド）不織布等を用いることができる。
【００１７】
バックシート３は、吸収体２と略相似形の、汗を透過しない液不透過性シートであり、吸収された汗が外に漏れないようにするために設けられている。なお、このバックシート３は液体が不透過であるが、通気性を有することが好ましい。
【００１８】
バックシート３の材料としては、吸収された汗を透過しない材料であれば、とくに限定されない。たとえば、防水処理を施した不織布、耐水性の高いＳＭＳ、ポリエチレンなどから構成されるプラスチックフィルム、不織布とプラスチックフィルムとの複合材料などをバックシート３に用いることができる。また、水蒸気がバックシート３を通って発散することによって着用時の蒸れを防止するために、バックシート３に通気性フィルムを使用してもよい。
【００１９】
粘着層６は、図１（ｂ）に示すように、汗取りパッド１の裏面の、バックシート３の衣服側面に設けられている。粘着層６は、本実施形態においてバックシート３の衣服側面全体ではなく、折曲線ｆを挟んだ上部１Ａと下部１Ｂとに設けられている。そして、折曲線ｆを含む一定幅の領域は、粘着剤が塗布されていない、非粘着領域である。また、ミシン目周辺には、肌トラブルを避けるため、粘着剤がないことが好ましい。
粘着層６は、貼着可能な粘着力を有するものであれば特に限定されないが、例えば、衣服に合わせて伸縮可能なゴム系のホットメルトが好ましい。
【００２０】
剥離シート５は、粘着層６に対して剥離可能に付着するものであれば特に限定されない。剥離シート５は、バックシート３の衣服側面における上述の非粘着領域を以外の領域を覆っている。すなわち、折曲線ｆを含む一定幅の領域である非粘着領域には剥離シート５が貼着されておらず、その上下にそれぞれ１枚づつ剥離シート５が付着されている。この非粘着領域において剥離シート５が分断されていることにより、剥離シート５をバックシート３から剥がすときに剥がしやすい。
【００２１】
図中、太い点線で示すように、汗取りパッド１における、下部１Ｂには、ミシン目状の切断線９が設けられている。この切断線９は、汗取りパッド１の上述の折曲線ｆの一端から他端まで延びている。ただし、直線状の折曲線ｆとは異なり、切断線９は曲線であって、袖ぐりが大きく開いた衣服の袖ぐりに対応できるように、大きく湾曲した切断線９Ａと、袖ぐりの開きがそれほど大きくない衣服の袖ぐりに合わせた曲線の切断線９Ｂとの２種類設けられている。
【００２２】
切断線９は、吸収体２、バックシート３及び剥離シート５の全体を貫通して設けられている。したがって、使用者は、汗取りパッド１から剥離シート５を剥がさない状態で、切断線９に沿って汗取りパッド１を手で切断することが可能である。
切断線９に沿って切断すると、汗取りパッド１はノースリーブの衣服への取り付けに適した三日月形状となる。
また、切り取るラインは、装着予定のノースリーブ衣服の袖ぐりの開き具合に合わせて選択可能となっている。例えば、大きく開いたノースリーブ衣服に装着する場合は、切断線９Ａに沿って切断し、袖ぐりの開きが通常の場合、切断線９Ｂに沿って切断する。
なお、本実施形態では切断線９をミシン目にして容易に手で切断できるようにしたが、これに限定されない。例えば切断線９を、表面にラインを描くのみにして、使用者がハサミで切断するようにしても良い。また、ミシン目ではなく、切断線９が設けられている部分を薄く製造することにより、容易に切断可能としても良い。
【００２３】
図２は吸収体２の材料として高吸収性ポリマー（ＳＡＰ）を用いた場合の、ＳＡＰの配置を示した図である。図２（ａ）は本実施形態におけるＳＡＰ等の吸収体２の配置を示したもので、図２（ｂ）は変形形態である。図中斜線で示した部分に吸収体２が配置されている。図２（ａ）及び（ｂ）の両方において、汗取りパッド１の外周に沿った所定幅の領域１Ａは、トップシート７とバックシート３とが直接接合され、吸収体２が外部にこぼれることがないようになっている。
【００２４】
また、図２（ａ）に示す本実施形態の汗取りパッド１において、吸収体２は切断線９Ａ及び切断線９Ｂにより分断された３つの領域に配置されている。そして、切断線９Ａの周囲の所定範囲、及び切断線９Ｂの所定範囲は、上述の汗取りパッド１の外周と同様にトップシート７とバックシート３とが直接接合され、吸収体２は、配置されていない。
したがって、この切断線９Ａ及び切断線９Ｂで汗取りパッド１を切断しても、吸収体２がこぼれる（外部に流出する）ことがない。
【００２５】
なお、本発明はこれに限定されず、例えば図２（ｂ）に示すように、吸収体２を汗取りパッド１の、上述の外周領域１Ａを除いた全体に一様に分散配置した後、切断線９Ａ及び切断線９Ｂの周辺にエンボス３０加工を施してもよい。
この図２（ｂ）の形態においても、切断線９Ａ及び切断線９Ｂで切断後、エンボス３０によって吸収体のこぼれが防止される。
さらに本発明はこれに限定されず、吸収体２としてＳＡＰを用いずにエアレイドパルプを主に用いる形態であっても良い。
【００２６】
本実施形態の汗取りパッド１を、袖付の衣服に使用する場合、汗取りパッド１は、切断線９によって切断されていないそのままの状態で用いる。そのままの状態の汗取りパッド１の裏面の下側剥離シート５Ｂを剥がし、折曲線ｆを、衣服の裏側の袖ぐり部に合わせて、粘着層６により衣服の身頃脇部に装着する。次に、上側剥離シート５Ａを剥がし、衣服の袖側に貼り付ける。
図３は袖付の衣服１０に汗取りパッド１を装着した第１装着例を示した図である。図示するように、汗取りパッド１は、袖付の衣服１０の脇部において、身頃側と袖側にわたって装着される。したがって、装着時にずれにくく、しっかりと装着される。
また、汗取りパッド１は、折曲線ｆが形成されているため、衣服の形に沿って折れ曲がりやすく、衣服に形にフィットすることができる。
このように装着された汗取りパッド１は、腋の下に汗が生じた場合、その汗を汗取りパッド１によって吸収することができる。
【００２７】
本実施形態の汗取りパッド１を、ノースリーブの衣服２０に貼り付けて使用する場合、まず、着用する衣服の袖ぐりのカーブに合う切断線９Ａまたは９Ｂを選択する。次いで、選択した切断線に沿って、汗取りパッド１を切断する。
そして、袖ぐりのカーブに適したカーブを有する三日月形に切断された汗取りパッド１から、剥離シート５（下側剥離シート５Ｂ）を剥がす。この剥離シート５を剥がした汗取りパッド１を、衣服の裏側の袖ぐり部に合わせて、粘着層６により衣服の脇部に貼り付ける。図４はノースリーブの衣服１０に汗取りパッド１を装着した第２装着例を示した図である。
【００２８】
図示するように、汗取りパッド１は、袖付の衣服１０の脇部において、ノースリーブの袖ぐりのカーブに合わせた形状を有する。このため衣服からはみ出すことなく、外側からは見えない状態で装着することができる。
このように装着された汗取りパッド１は、腋の下に汗が生じた場合、その汗を汗取りパッド１によって吸収することができる。
【００２９】
本実施形態によると、１種類の汗取りパッドを、袖付衣服とノースリーブ衣服との両方に使用することが出来る。したがって、２種類の汗取りパッドを購入することなく、袖付衣服とノースリーブ衣服との両方に使用することができ、経済的且つ便利である。
さらに、本実施形態によると、ノースリーブも袖ぐりの開き具合に合わせてカーブを選択することもできるので、衣類の形にフィットした汗取りパッドを提供することが出来る。
なお、本実施形態において汗取りパッド１の包装容器には、例えば、「ミシン目に沿ってカットすると、ノースリーブ用に使用できます」等記載することが好ましい。
【００３０】
（第２実施形態）
図５は第２実施形態の汗取りパッド１００を身体装着側から見た図である。
第２実施形態の汗取りパッド１００は、第１実施形態に対して上部１００Ａと下部１００Ｂとが同じ大きさである点が異なる。さらに、ミシン目が、下部１００Ｂのみならず、上部１００Ａにも複数設けられている点が異なる。
上部１００Ａのミシン目は、下部１００Ｂ、すなわち第１実施形態と同様であって、大きく湾曲した切断線１０９Ａと、１０９Ａより湾曲していない切断線１０９Ｂとの２種類設けられている。他の構成は第１実施形態と同様であるので、説明は省略する。
【００３１】
本実施形態の汗取りパッド１を、袖付の衣服に使用する場合は、第１実施形態と同様に、汗取りパッド１は、切断線９によって切断されていないそのままの状態で用いる。切断されていないそのままの汗取りパッド１の裏面の一方の剥離シート（上側でも下側でも良い）を剥がし、折曲線ｆを衣服の裏側の袖ぐり部に合わせて、粘着層６により衣服の身頃脇部に装着する。そして、他方の剥離シートを剥がし、衣服の袖側に貼り付ける。
このように装着された汗取りパッド１は、腋の下に汗が生じた場合、その汗を汗取りパッド１によって吸収することができる。
【００３２】
本実施形態において、汗取りパッド１を、ノースリーブの衣服２０に貼り付けて使用する場合、まず、着用する衣服の袖ぐりのカーブに合う切断線１０９Ａまたは１０９Ｂを選択する（あるいは１１０Ａまたは１１０Ｂのいずれかを選択しても良い）。次いで、選択した切断線に沿って、汗取りパッド１を切断する。そして、袖ぐりのカーブに適したカーブを有する三日月形に切断された汗取りパッド１から、剥離シート５（下側剥離シート５Ｂ）を剥がす。この剥離シート５を剥がした汗取りパッド１を、衣服の裏側の袖ぐり部に合わせて、粘着層６により衣服の脇部に貼り付ける。
【００３３】
本実施形態によると、第１実施形態の効果に加え、汗取りパッドにおける、切断して使用しなかった部分は、まだ、もう一度、ノースリーブの衣服用に使用可能な領域を含んでいる。したがって、この残りの部分を捨てることなく、再度利用することが可能であり、経済的である。
【符号の説明】
【００３４】
ｆ…折曲線
１…汗取りパッド
２…吸収体
１Ａ…上部
１Ｂ…下部
６…粘着層
９Ａ…切断線
９Ｂ…切断線
１００…パッド
１００Ａ…上部
１００Ｂ…下部
１０９Ａ…切断線
１０９Ｂ…切断線
【図１】
2014128430.tif 000003
【図２】
2014128430.tif 000004
【図３】
2014128430.tif 000005
【図４】
2014128430.tif 000006
【図５】
2014128430.tif 000007